【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
基端が超音波振動を発生する手段に作用的に接続され或いは接続可能で且つ先端に近接して作用要素を備えた細長い導波管手段を有し、
この導波管手段が第１の径を有し、
上記作用要素が上記第１の径より小さい第２の径を有する細長い作動体要素を有し、
上記作用要素の基端が、上記導波管手段内で発生された超音波振動の節面に実質的に配置された第１のステップ接合部を規定し、
上記作用要素が、上記導波管手段と上記作動体要素との間を延び且つ上記第１および第２の径の間の第３の径を有する細長い中間部分を有し、この中間部分が、その先端で上記作動体要素を伴う上記第１のステップ接合部を規定し、その基端で上記導波管手段を伴う第２のステップ接合部を規定する、外科ツール。
【請求項２】
上記第２のステップ接合部は、実質的に、上記導波管手段における上記超音波振動の非節面に配置されている請求項１の外科ツール。
【請求項３】
上記中間部分は、その中の上記超音波振動の波長の１／４に実質的に一致する長さを有する請求項１或いは請求項２の外科ツール。
【請求項４】
上記作動体要素は、その中の上記超音波振動の波長の１／４に実質的に一致する長さを有する請求項１乃至請求項３のいずれかの外科ツール。
【請求項５】
上記作動体要素は上記導波管手段と同軸に伸びる請求項１乃至請求項４のいずれかの外科ツール。
【請求項６】
上記作動体要素の少なくとも一部は、上記導波管手段の長手軸から離れてカーブして伸びる請求項１乃至請求項４のいずれかの外科ツール。
【請求項７】
上記作動体要素は、上記第１のステップ接合部に近接して上記第２の径を有し、その先端に向けて径が細くなる請求項１乃至請求項６のいずれかの外科ツール。
【請求項８】
超音波振動を発生する手段は、パルスモード電気駆動手段によって駆動される請求項１乃至請求項７のいずれかの外科ツール。
【請求項９】
上記作動体要素は、その中の非ねじれモード振動を最小にするように輪郭を描かれている請求項１乃至請求項８のいずれかの外科ツール。
【請求項１０】
上記作動体要素は、その先端から隣接して伸びる一対の細長い溝手段を備え、これらの溝手段は、上記組織を接合或いは凝固させるように、隣接する組織内へ超音波エネルギーを集束するために設けられており、上記溝手段は、切断する組織に接触するように設けられた細長い稜手段をその間に規定している、外科ツール。
【請求項１１】
上記溝手段は、上記作動体要素の湾曲された先端部分に沿って伸びる請求項１０の外科ツール。
【請求項１２】
上記作動体要素は、該作動体要素の軸と実質的に平行に伸びる細長い一般に平らな作用面を備えており、この作用面は、上記組織の切断に優先して該組織を接合或いは凝固するため、接触し或いは該面に対向して保持された該組織内へ超音波エネルギーを伝達するために設けられている請求項１乃至請求項９のいずれかの外科ツール。
【請求項１３】
上記作用面は、浅い縦稜部に沿って隣り合う実質的に平らな２つの面を有する請求項１２の外科ツール。
【請求項１４】
上記作動体要素は、パルス状の超音波振動で駆動される請求項１２或いは請求項１３の外科ツール。
【請求項１５】
導波管手段が接続され或いは接続可能な、超音波振動を発生する手段は、ねじれモード超音波振動を発生する手段を有する請求項１乃至請求項１４のいずれかの外科ツール。
【手続補正２】
【補正対象書類名】明細書
【補正対象項目名】０１３２
【補正方法】変更
【補正の内容】
【０１３２】
上述した本開示の教えの利益を有する当業者が、そこへの変更をもたらす。このような変更は、添付の特許請求の範囲によって規定されたような、本開示の範囲内におけるものとして構成される。
以下、本願の出願当初の特許請求の範囲に記載された発明を付記する。
［１］
基端が超音波振動を発生する手段に作用的に接続され或いは接続可能で且つ先端に近接して作用要素を備えた細長い導波管手段を有し、
この導波管手段が第１の径を有し、
上記作用要素が上記第１の径より小さい第２の径を有する細長い作動体要素を有し、
上記作用要素の基端が、上記導波管手段内で発生された超音波振動の節面に実質的に配置された第１のステップ接合部を規定する外科ツール。
［２］
上記作動体要素の先端は、超音波振動の非節面に配置されている［１］の外科ツール。
［３］
上記作用要素が、上記導波管手段と上記作動体手段との間を延び、且つ上記第１および第２の径の間の第３の径を有する細長い中間部分を有し、この中間部分は、その先端で上記作動体手段を伴う第１のステップ接合部を規定し、その基端で上記導波管手段を伴う第２のステップ接合部を規定する［１］或いは［２］の外科ツール。
［４］
上記第２のステップ接合部は、実質的に、上記導波管手段における上記超音波振動の非節面に配置されている［３］の外科ツール。
［５］
上記中間部分は、その中の上記超音波振動の波長の１／４に実質的に一致する長さを有する［３］或いは［４］の外科ツール。
［６］
上記作動体要素は、その中の上記超音波振動の波長の１／４に実質的に一致する長さを有する［１］〜［５］のいずれかの外科ツール。
［７］
上記作動体要素の上記第２の径は、上記導波管手段の上記第１の径の１／３と２／３との間である［１］〜［６］のいずれかの外科ツール。
［８］
上記第１のステップ接合部の両端の径の比は、該接合部を横切る所望される速度増幅ゲインを製造するように選択可能であり、上記ゲインは上記径の比の立方に依存している［１］〜［７］のいずれかの外科ツール。
［９］
上記作動体要素は上記導波管手段と同軸に伸びる［１］〜［８］のいずれかの外科ツール。
［１０］
上記作動体要素の少なくとも一部は、上記導波管手段の長手軸から離れて随意にカーブして伸びる［１］〜［８］のいずれかの外科ツール。
［１１］
上記作動体要素の先端は、上記第１の径を有するとともに上記導波管手段から同軸に伸びた外披内へ配置される［１０］の外科ツール。
［１２］
上記作動体要素は、上記第１のステップ接合部に近接して上記第２の径を有し、その先端に向けて径が細くなる［１］〜［１１］のいずれかの外科ツール。
［１３］
超音波振動を発生する手段は、パルスモード電気駆動手段によって駆動される［１］〜［１２］のいずれかの外科ツール。
［１４］
上記作動体要素は、その中の非ねじれモード振動を最小にするように輪郭を描かれている［１］〜［１３］のいずれかの外科ツール。
［１５］
上記導波管手段は、その中で製造される超音波振動の節面に配置された多数の放射状に突き出したスペーサー突起を備えている［１］〜［１４］のいずれかの外科ツール。
［１６］
上記第１のステップ接合部は、上記スペーサー突起の最も先端から上記振動の半波長の分離点で配置されている［１５］の外科ツール。
［１７］
上記第２のステップ接合部は、上記スペーサー突起の最も先端から離れて上記振動の１／４波長の分離点で配置されている［１５］〜［１６］の外科ツール。
［１８］
上記作用要素は、超音波振動可能な作動体要素に接触して組織の所望するゾーンを保持するように選択的に作動可能な非振動可能あご部材を有する［１］〜［１７］のいずれかの外科ツール。
［１９］
上記作動体要素は、およそその先端から伸び且つその間に細長い稜手段を規定する隣接した一対の細長い溝手段を備えている［１］〜［１８］のいずれかの外科ツール。
［２０］
上記溝手段は、上記作動体要素の湾曲された先端部分に沿って伸びる［１９］の外科ツール。
［２１］
上記溝手段は、組織を接合或いは凝固させるように、隣接する組織内へ超音波エネルギーを集束するために設けられている［１９］或いは［２０］のいずれかの外科ツール。
［２２］
上記稜手段は、切断する組織に接触するように設けられている［１９］〜［２１］のいずれかの外科ツール。
［２３］
上記作動体要素は、該作動体要素の軸と実質的に平行に伸びる細長い一般に平らな作用面を備えている［１］〜［１８］のいずれかの外科ツール。
［２４］
上記作用面は、浅い縦稜部に沿って隣り合う実質的に平らな２つの面を有する［２３］の外科ツール。
［２５］
上記作用面は、上記組織の切断に優先して該組織を接合或いは凝固するため、接触し或いは該面に対向して保持された該組織内へ超音波エネルギーを伝達するために設けられている［２３］或いは［２４］の外科ツール。